(57)【要約】【課題】熱効率が良いとともに、高圧電位治療及び温熱治療による効果以外の効果をも得ることが可能な高圧電位治療器用通電マットを提供すること。【解決手段】発熱部（２０２）を備えた発熱層（２）と、絶縁手段を介して前記発熱層（２）の上部に積層された、カーボンシート等の面状の導電手段により構成される放電層（３）と、該放電層（３）の上方に積層されたトルマリンシート（５）と、前記発熱層（２）及び放電層（３）を被覆した絶縁性カバー材（４）と、を具備しており、これにより、発熱手段の劣化を防止することが可能であるとともに、効果の高い電位治療を行なうことが可能であり、更に、面状の導電手段により構成される放電層により、温熱治療の際の熱効率を向上させて遠赤外線効果を得ることを可能にし、更にまた、トルマリンシートによるマイナスイオンの効果により治療効果を高めることを可能とした。【選択図】              図１
2004290587.tif 000002
【特許請求の範囲】
【請求項１】
高圧電位治療器による治療の際に用いられる通電マットであって、
発熱部（２０２）を備えた発熱層（２）と、
絶縁手段を介して前記発熱層（２）の上部に積層された、面状の導電手段により構成される放電層（３）と、
前記発熱層（２）及び放電層（３）を被覆した絶縁性カバー材（４）と、を具備したことを特徴とする高圧電位治療器用通電マット。
【請求項２】
高圧電位治療器による治療の際に用いられる通電マットであって、
発熱部（２０２）を備えた発熱層（２）と、
絶縁手段を介して前記発熱層（２）の上部に積層された、面状の導電手段により構成される放電層（３）と、
絶縁手段を介して前記放電層（３）に積層されたトルマリンシート（５）と、前記発熱層（２）及び放電層（３）を被覆した絶縁性カバー材（４）と、を具備したことを特徴とする高圧電位治療器用通電マット。
【請求項３】
前記放電手段（３）がカーボンシートであることを特徴とする請求項１又は請求項２に記載の高圧電位治療器用通電マット。
【発明の詳細な説明】
【０００１】
【発明の属する技術分野】
本発明は、被治療者に高圧電位を加えることにより行なう電位治療、及び被治療者に温熱を加えることにより行なう温熱治療の双方を可能とした高圧電位治療器に用いる通電マットに係り、より詳しくは、温熱治療用の発熱手段と電位治療用の放電手段とを積層するとともに、更に電位治療用の放電手段にトルマリンシートを積層したことを特徴とする高圧電位治療器用通電マットに関する。
【０００２】
【従来の技術】
従来から、頭痛、肩こり、不眠等を治療するための装置として、血液循環をよくして体質改善に効果を有する高圧電位治療器が用いられている。
【０００３】
ここで、高圧電位治療器とは、被治療者の身体に高圧の電位を加える装置であり、この高圧電位治療器を用いて治療を行うことにより、被治療者は、血液循環が良くなり体質が改善され、頭痛、肩こり、不眠等を無くすることができるものである。
【０００４】
そして、近年の高圧電位治療器では、被治療者に温熱を加えるための発熱手段を備えて、電位治療と温熱治療の双方を交互に行なうことを可能にしたものが提供されている。
【０００５】
そのため、この電位治療と温熱治療とを交互に行なうことを可能にした治療器では、１台の治療器で電位治療と温熱治療とを行なうことができるために、より有効に被治療者の治療を行なうことが可能である。
【０００６】
ところで、高圧電位治療器を用いて治療を行なう場合には、高圧の電気を放電可能とした放電手段を備えた通電マットを用いて、これを椅子等の上に敷き、その後に、被治療者はこの通電マットに座り治療を開始するが、従来から用いられていた通電マットでは、ニクロム線等の通電手段を１回路のみ備えたものであった。
【０００７】
ここで、図５は、従来から用いられていた通電マットの内部を示した平面図であり、図において３１が従来の通電マットである。そしてこの従来の通電マット３１では、発泡スチロール等の基材３２上にニクロム線３３等の導線が備えられた放電部３４を備えており、この放電部３４を図示しない絶縁性のカバーで被覆して構成されていた。
【０００８】
そして、高圧電位治療を行なう場合には、このニクロム線３３に高圧の電位を加えてニクロム線３３を介してこの高圧電位をコロナ放電させ、これにより被治療者に高圧電位を加え、一方、温熱治療を行なう場合には、ニクロム線３３に電源電圧を、例えば１００Ｖを加えて、ニクロム線３３に生じるジュール熱により被治療者に温熱を加えていた。
【０００９】
【発明が解決しようとする課題】
しかしながら、従来の通電マットでは、前述のように、同一のニクロム線を用いて電位治療と温熱治療とを行なっていたために、例えば高圧電位治療の場合には９０００Ｖの電位を加えるために、ニクロム線の劣化が激しいという問題と、９０００Ｖの電位治療時の体感が無いという問題の、二つの問題点が指摘されていた。
【００１０】
また、温熱治療を行なう場合においては、ニクロム線から発生されるジュール熱による温熱治療であるために、線状の発熱であり、熱効率が悪いという問題点が指摘されていた。
【００１１】
更に、従来の通電マットでは、高圧電位治療と温熱治療のみを目的としていたために、それ以外の効果を期待することができなかった。
【００１２】
そこで、本発明は、熱効率が良いとともに、高圧電位治療及び温熱治療による効果以外の効果をも得ることが可能な高圧電位治療器用通電マットを提供することを課題としている。
【００１３】
【課題を解決するための手段】
本発明の高圧電位治療器用通電マットは、
高圧電位治療器による治療の際に用いられる通電マットであって、
発熱部を備えた発熱層と、絶縁手段を介して前記発熱層の上部に積層された、面状の導電手段により構成される放電層と、前記発熱層及び放電層を被覆した絶縁性カバー材と、を具備したことを特徴としている。
【００１４】
本発明の高圧電位治療器用通電マットでは、温熱治療を行なうための発熱層と電位治療を行なうための放電手段と別個独立のものにしているため、発熱手段に高圧電位を加えることがなく、これにより発熱手段の劣化を防止することが可能である。
【００１５】
また、電位治療を行なう放電手段としては、面状の導電手段により構成される放電手段を用いているために、線状に高圧電位が放電される従来の通電マットとは異なって、面状に高圧電位が放電される。そのために、通電マットに当接している被治療者の体全体に高圧電位が均等に加えられ、効果の高い電位治療を行なうことが可能であるとともに、９０００Ｖの電位治療時の体感を得ることも可能である。
【００１６】
更に、本発明の高圧電位治療器用通電マットでは、温熱治療用の発熱部の上面に面状の放電手段を積層しているために、温熱治療の際には、発熱部から生じる熱により、まず放電手段が熱せられ、その後、この放電手段からの輻射熱により被治療者に温熱を加えることができ、遠赤外線の効果により、より効果的に温熱治療を行なうことが可能である。
【００１７】
【発明の実施の形態】
本発明の高圧電位治療器用通電マットでは、ニクロム線等の発熱部を備えた発熱層を有しており、この発熱層の上部には、塩化ビニール等の絶縁材を介し、カーボンシート等の面状の導電手段により構成された放電層が積層されている。
【００１８】
そして、前記発熱層及び放電層は、塩化ビニール等の絶縁性カバー材により被覆されている。
【００１９】
ここで、前記放電層の上部に、更に、絶縁手段を介してトルマリンを含有したトルマリンシートを積層するとよく、これにより、電位治療あるいは温熱治療を行なっている際に、トルマリンから発せられるマイナスイオンの効果をも享受することが可能となる。
【００２０】
【実施例】
本発明の高圧電位治療器用通電マット（以下単に「通電マット」という。）の実施例について図面を参照して説明すると、図１は、本実施例の通電マットの構造を示す断面図であり、図において１が本実施例の通電マットである。
【００２１】
そして、本実施例の通電マット１は、その内部に、温熱治療を行なうための発熱層と、高圧電位治療を行なうための放電層とを有しており、放電層の上方には更に、トルマリンを含有したトルマリンシートを備えている。
【００２２】
即ち、図において２が発熱層であり、本実施例において発熱層２は、発泡スチロール等により構成される平面視野を略長方形状とした基材２０１と、この基材２０１に固定された発熱部２０２とにより構成されており、発熱部２０２としては、ニクロム線を用いている。そして、本実施例においては、発熱部としてのニクロム線２０２を、その存在を確認できる程度に前記基材２０１に略埋設し、これにより基材２０１に発熱部としてのニクロム線２０２を固定して発熱層２を形成している。
【００２３】
なおここで、図２は前記発熱層２の平面を示した図であり、本実施例において前記ニクロム線２０２は、蛇行させながら基材２０１に略埋設し、これにより、発熱層２の全面から発熱できるようにするとともに、その両端部を基材２０１から外部へ延出し、使用に際してはこの延出した部分を装置本体に接続可能としている。
【００２４】
次に、図１において３は、高圧電位治療を行なうための放電層であり、即ち、本実施例の通電マット１では、塩化ビニールにより構成される絶縁シート４を介して、前記発熱層２の上方に放電層３を積層している。
【００２５】
そして、本実施例において、この放電層３としては、カーボンシートを用いており、これにより、カーボンシート３の全体からの、面状の放電を可能としている。
【００２６】
なお、図３は、前記カーボンシート３の平面を示した図であり、図にも示されるように、本実施例において、前記カーボンシート３には電極部３０１を備えており、使用に際しては、電線を介してこの電極部３に装置本体を接続可能としている。
【００２７】
次に、図において４は、被覆手段として、絶縁性のカバー材であり、本実施例においてこのカバー材は、塩化ビニール性の袋状のシートを用いている。そして、本実施例においては、このカバー材４内を２段にして、２組の収容部を縦方向に形成しており、それぞれの収容部４０１、４０２内に、前記発熱層２及び放電層３を収容しており、これにより、発熱層２及び放電層３を被覆している。
【００２８】
そして、本実施例においては、前記放電層３の上方に位置するカバー材４の表面に、トルマリンシート５を載置している。
【００２９】
ここで、このトルマリンシートについて説明すると、本実施例における前記トルマリンシートとしては、トルマリンを含有したインクを塩化ビニール製シートに印刷することにより製造したトルマリンシートを用いている。
【００３０】
周知のとおり、トルマリンとは、地球上にマグマが噴出した際に、高温、高圧力下で生じた自然の結晶物であり、マイナスイオンを放出することで知られている。
【００３１】
そのため、このトルマリンを含有したトルマリンシートを備えた本実施例の通電マット１では、電位治療あるいは温熱治療を行なっている際に、このトルマリンから発生するマイナスイオンを受けることができ、これにより、より効果的な治療を行なうことが可能である。
【００３２】
なお、本実施例において前記トルマリンを含有したインクとしては、栄スクリーン印刷製のインクを用いた。
【００３３】
次に、このように構成される本実施例の通電マット１の作用について説明すると、本実施例の通電マット１を用いて治療を行なう場合には、図４に示すように、発熱層２に備えたニクロム線２０２と、放電層３としてのカーボンシートをそれぞれ、ケーブル等の電線６を介して治療器本体７の電源部に接続し、その後に高圧電位治療、あるいは温熱治療を行なう。
【００３４】
まず、高圧電位治療を行なう場合の作用について説明すると、治療器本体７からカーボンシート３に高圧電位が供給されると、この供給された高圧電位はカーボンシート３の全面においてコロナ放電され、これにより、被治療者に高圧電位が加えられる。
【００３５】
そしてこのとき、本実施例の通電マット１では、ニクロム線を用いて電位治療を行なう従来の通電マットと異なり、面状の放電を可能としたカーボンシートを用いているために、カーボンシートの全域から均等に放電が行なわれ、これによって、被治療者に効果的に高圧電位を送り込むことが可能となる。
【００３６】
次に、温熱治療を行なう場合には、治療器本体７からニクロム線２０２に電源電圧、例えば交流１００Ｖを加える。そうすると、ニクロム線２０２による抵抗によりニクロム線２０２にジュール熱が発生し、これにより被治療者に温熱を加えることが可能となる。
【００３７】
そしてこのとき、本実施例の通電マット１では、発熱層２の上方に放電層としてのカーボンシート３を積層しているため、ニクロム線２０２から温熱が発生すると、まず、カーボンシート３が熱せられ、その後、このカーボンシート３から輻射熱として遠赤外線が放射される。そのため、被治療者は遠赤外線による温熱治療を受けることができ、より効果的に温熱治療を行なうことが可能となる。
【００３８】
更に、本実施例の通電マット１では、前記放電層の上方にトルマリンシート５を備えているために、高圧電位治療、温熱治療のいずれを行なっている場合においても、また、治療を行っていない場合においても、トルマリンシートから発生するマイナスイオンを受けることができ、これにより、疲労回復、ストレスの抑制等の効果を得ることが可能である。
【００３９】
このように、本実施例の通電マットを用いることにより、より効果的な高圧電位治療及び温熱治療を行なうことができるとともに、マイナスイオンによる効果をも得ることが可能となる。
【００４０】
なお、前述の実施例では、カバー材４の表面にトルマリンシートを載置した形態について説明したが、必ずしもこのようにする必要は無く、例えば、カバー材４にトルマリンを含有したインクを印刷し、カバー材４の上面部をトルマリンシートとしてもよい。
【００４１】
また、前述の実施例では、絶縁性のカバー材内を２段にして２組の収容部を縦方向に形成し、それぞれの収容部内に発熱層及び放電層を収容する形態を説明したが、必ずしもこのような構造にする必要はなく、絶縁手段を介して前記発熱層の上部に放電層を積層してあればいずれの構造でもよい。
【００４２】
【発明の効果】
本発明の高圧電位治療器用通電マットは、以上説明したような形態で実施され、以下に記載するような効果を奏する。
【００４３】
本発明の高圧電位治療器用通電マットは、高圧電位治療器による治療の際に用いられる通電マットであって、発熱部を備えた発熱層と、絶縁手段を介して前記発熱層の上部に積層された、面状の導電手段により構成される放電層と、前記発熱層及び放電層を被覆した絶縁性のカバー材と、を具備したことを特徴としている。
【００４４】
このように、本発明の高圧電位治療器用通電マットでは、温熱治療を行なうための発熱層と電位治療を行なうための放電手段と別個独立のものにしているために、発熱手段に高圧電位を加えることがなく、これにより発熱手段の劣化を防止することが可能である。
【００４５】
また、電位治療を行なう放電手段として、面状の放電手段を用いているので、線状に高圧電位が放電される従来の通電マットとは異なって、面状に高圧電位が放電されるため、通電マットに当接している被治療者の体全体に高圧電位が均等に加えられ、効果の高い電位治療を行なうことが可能である。
【００４６】
更に、発熱部の上面に面状の放電手段を積層しているために、温熱治療の際には、発熱部から生じる熱により、まず放電手段が熱せられ、その後、この放電手段からの輻射熱により被治療者に温熱を加えることができ、遠赤外線の効果により、より効果的に温熱治療を行なうことが可能である。
【００４７】
更にまた、前記放電層の上方にトルマリンシートを備えることにより、高圧電位治療、温熱治療のいずれを行なっている場合においても、また、治療を行っていない場合においても、トルマリンシートから発生するマイナスイオンを受けることができ、これにより、疲労回復、ストレスの抑制等の効果を得ることが可能である。
【図面の簡単な説明】
【図１】本発明の通電マットの実施例の構造を説明するための断面図である。
【図２】本発明の通電マットの実施例に用いられる発熱層を説明するための平面図である。
【図３】本発明の通電マットの実施例に用いられる放電層を説明するための平面図である。
【図４】本発明の通電マットの実施例の作用を説明するための図である。
【図５】従来の通電マットを説明するための図である。
【符号の説明】
１    通電マット
２    発熱層
２０１    基材
２０２    発熱部（ニクロム線）
３    放電層（カーボンシート）
４    絶縁性カバー材
５    トルマリンシート
６    電線
７    治療器本体
【図１】
2004290587.tif 000003
【図２】
2004290587.tif 000004
【図３】
2004290587.tif 000005
【図４】
2004290587.tif 000006
【図５】
2004290587.tif 000007